(57)【特許請求の範囲】
【請求項１】
木質系材料からなる矩形板片を複数積層して直方体の支持ブロックを構成するとともに該支持ブロックの最下層を構成する矩形板片の露出面隅部に衝撃吸収材を突設してなり該衝撃吸収材が上階床躯体の上面に当接するように該上階床躯体に配置された複数の二重床用支持脚と、該二重床用支持脚の上面に架け渡され釘留め又はビス留めされた矩形木質パネルと、該矩形木質パネルの上に敷設された床下地材及び床仕上げ材とからなり、前記支持ブロックを前記矩形板片の面内方向に沿った幅に対する積層方向高さの比率が１を下回るように形成したことを特徴とする二重床構造。
【請求項２】
前記上階床躯体を、あらわし梁の上に架け渡した請求項１記載の二重床構造。
【請求項３】
木質系材料からなる矩形板片を複数積層して直方体の支持ブロックを構成するとともに該支持ブロックの最下層を構成する矩形板片の露出面隅部に衝撃吸収材を突設し前記支持ブロックを前記矩形板片の面内方向に沿った幅に対する積層方向高さの比率が１を下回るように形成してなる二重床用支持脚を、該衝撃吸収材が上階床躯体の上面に当接するように該上階床躯体に水平２方向に沿って複数配置し、
前記二重床用支持脚のうち、互いに離間する２つの二重床用支持脚の間に吸音材を敷設し、
前記二重床用支持脚の上面に矩形木質パネルを架け渡すとともに、該矩形木質パネルを前記二重床用支持脚に釘留め又はビス留めし、
前記矩形木質パネルの上に床下地材及び床仕上げ材を順次敷設することを特徴とする二重床構造の構築方法。
【請求項４】
木質系材料からなる矩形板片を複数積層して直方体の支持ブロックを構成するとともに、該支持ブロックの最下層を構成する矩形板片の露出面隅部に衝撃吸収材を突設してなり、前記支持ブロックを前記矩形板片の面内方向に沿った幅に対する積層方向高さの比率が１を下回るように形成したことを特徴とする二重床用支持脚。
【発明の詳細な説明】
【技術分野】
【０００１】
本発明は、主として戸建て住宅、特に木造戸建て住宅に適した二重床用支持脚及びそれを用いた二重床構造並びにその構築方法に関する。
【背景技術】
【０００２】
マンションに代表される集合住宅では、カーペット敷きよりも衛生面に優れたフローリング仕上げが一般的となって久しいが、フローリング仕上げでは、上階で生じた床衝撃音に対する下階への遮音対策が重要となり、建築指針では、軽量衝撃源でＬ−４５、重量衝撃源でＬ−５０の遮音性能が推奨されている（「建築物の遮音性能基準と設計指針」、日本建築学会）。
【０００３】
最近では、居住快適性に対するニーズとも相俟って、ますます高い遮音性能が要求されるようになっており、厚さ２００ｍｍを越える鉄筋コンクリートスラブ（以下、ＲＣスラブ）の上に二重床を構築する仕様が標準的になりつつある。
【０００４】
かかる二重床をＲＣスラブ上に構築するにあたっては、ＲＣスラブの上に平面２方向に所定ピッチで支持脚を配置した上、該支持脚にパーティクルボード等のパネル材を載せ、次いで、該パネル材に床下地とフローリング材を順次敷設するとともに、ＲＣスラブとパネル材との隙間に吸音材を配置するのが一般的である。
【０００５】
これに対し、戸建て住宅、特に木造戸建て住宅の場合には、木質系材料の密度がコンクリートよりもはるかに小さいため、遮音性能を高めることが構造的に難しい上、上階で生じる衝撃音が同居家族によるものであるため、上階からの音を遮音したいというニーズ自体が元来少なく、従来、二重床を用いた遮音構造を木造戸建て住宅に適用した事例はほとんどなかった。
【先行技術文献】
【特許文献】
【０００６】
【特許文献１】特開２００９−２７０３７２号公報
【特許文献２】特開２００７−２７７８８４号公報
【特許文献３】特開２００５−３２５５９８号公報
【発明の概要】
【発明が解決しようとする課題】
【０００７】
ところが、最近になって梁を構造美として空間表現し、あらわし梁として施工する場合が増加傾向にあるところ、あらわし梁においては、天井を設けないがゆえに上階の床が下階に露出することとなり、上階での衝撃音が直接下階に伝達して下階における居住性が低下するという問題を生じていた。
【０００８】
一方、従来の二重床やそれに用いる支持脚は集合住宅のＲＣスラブに適したものであって、木造住宅にそのまま転用したとしても、合理的なコストで所要の遮音効果を上げることができるかどうか必ずしも定かではない。
【０００９】
例えば、集合住宅用に開発された支持脚は、専用のパネル材が必要である、ＲＣスラブの不陸調整のために専用の工具を用いて高さを調整する必要があるといった制約があるため、数十〜数百という大量の住宅戸数に対して集中的に床工事を行うのであれば、トータルとして合理的なコストになり得ても、一戸ごとの工事にならざるを得ない戸建て住宅においては、全体の建築費用に対し、床工事が大きな負担になることが懸念される。
【００１０】
加えて、集合住宅用の支持脚は上述したように、ＲＣスラブの不陸調整を行うことを前提として、高さ調整可能になっているものがほとんどであるが、工場でプレカットされた柱や梁で組み上げられた昨今の木造住宅では、このような不陸調整が不要な場合が多く、支持脚の高さ調整機能がオーバースペックになることも想定される。
【００１１】
さらに、集合住宅用の支持脚では、専用のパネル材が必要になることから、配置ピッチや配置場所が制限され、かかる制限が、注文住宅では間取りの設計自由度を拘束し、施主の要望に応えることができないことにつながる懸念もある。
【００１２】
こういったさまざまな理由により、木造戸建て住宅に適した二重床構造やそれに用いる支持脚の研究開発が急務となっていた。
【課題を解決するための手段】
【００１３】
本発明は、上述した事情を考慮してなされたもので、木造住宅において上階の発生音を合理的なコストでかつ十分な程度に遮音することが可能な二重床用支持脚及びそれを用いた二重床構造並びにその構築方法を提供することを目的とする。
【００１４】
上記目的を達成するため、本発明に係る二重床構造は請求項１に記載したように、木質系材料からなる矩形板片を複数積層して直方体の支持ブロックを構成するとともに該支持ブロックの最下層を構成する矩形板片の露出面隅部に衝撃吸収材を突設してなり該衝撃吸収材が上階床躯体の上面に当接するように該上階床躯体に配置された複数の二重床用支持脚と、該二重床用支持脚の上面に架け渡され釘留め又はビス留めされた矩形木質パネルと、該矩形木質パネルの上に敷設された床下地材及び床仕上げ材とからなり、前記支持ブロックを前記矩形板片の面内方向に沿った幅に対する積層方向高さの比率が１を下回るように形成したものである。
【００１５】
また、本発明に係る二重床構造は、前記上階床躯体を、あらわし梁の上に架け渡したものである。
【００１６】
また、本発明に係る二重床構造の構築方法は請求項３に記載したように、木質系材料からなる矩形板片を複数積層して直方体の支持ブロックを構成するとともに該支持ブロックの最下層を構成する矩形板片の露出面隅部に衝撃吸収材を突設し前記支持ブロックを前記矩形板片の面内方向に沿った幅に対する積層方向高さの比率が１を下回るように形成してなる二重床用支持脚を、該衝撃吸収材が上階床躯体の上面に当接するように該上階床躯体に水平２方向に沿って複数配置し、
前記二重床用支持脚のうち、互いに離間する２つの二重床用支持脚の間に吸音材を敷設し、
前記二重床用支持脚の上面に矩形木質パネルを架け渡すとともに、該矩形木質パネルを前記二重床用支持脚に釘留め又はビス留めし、
前記矩形木質パネルの上に床下地材及び床仕上げ材を順次敷設するものである。
【００１７】
また、本発明に係る二重床用支持脚は請求項４に記載したように、木質系材料からなる矩形板片を複数積層して直方体の支持ブロックを構成するとともに、該支持ブロックの最下層を構成する矩形板片の露出面隅部に衝撃吸収材を突設してなり、前記支持ブロックを前記矩形板片の面内方向に沿った幅に対する積層方向高さの比率が１を下回るように形成したものである。
【００１８】
本発明に係る二重床用支持脚を用いて二重床構造を構築するには、まず、二重床用支持脚を水平２方向に沿って上階床躯体に複数配置する。
【００１９】
上階床躯体は例えば、あらわし梁の上に架け渡して構成することができる。
【００２０】
二重床用支持脚は、木質系材料からなる矩形板片を複数積層して直方体の支持ブロックを構成するとともに、該支持ブロックの最下層を構成する矩形板片の露出面隅部に衝撃吸収材を突設して構成してあり、上階床躯体に配置する際は、該衝撃吸収材が上階床躯体の上面に当接するように配置する。
【００２１】
支持ブロックは、例えば厚さが２４ｍｍの構造用合板を３００ｍｍ角に加工して矩形板片とし、これを３層重ねとすることで構成可能である。衝撃吸収材は、例えば硬度が６０゜の天然ゴムを厚さ５ｍｍ程度に成形して構成すればよい。
【００２２】
二重床用支持脚は、典型例として互いに直交する平面２方向の格子点に配置される。
【００２３】
ここで、二重床用支持脚は、支持ブロックを矩形板片の面内方向に沿った幅に対する積層方向高さの比率が１を下回るように、換言すれば、設置状態において扁平になるように形成してあるため、水平方向に沿った設置許容誤差が大きくなる。
【００２４】
すなわち、集合住宅用の支持脚に比べ、設置精度が大幅に緩和されることとなり、上階床躯体への設置作業効率が格段に向上する。
【００２５】
また、柱、梁といった軸組部材を工場でプレカットし現地で組み上げる場合、上階床躯体の水平精度を１〜３ｍｍ程度に収めることが可能であるため、基本的には上階床躯体への設置作業時に高さ調整を行う必要はないし、各二重床用支持脚に高さ調整機能を持たせる必要もない。必要があればスペーサを適宜挿入して高さを調整すればよい。
【００２６】
次に、二重床用支持脚のうち、互いに離間する２つの二重床用支持脚の間に吸音材を敷設する。
【００２７】
ここで、パネル材の裏面に先付けしておく必要がある集合住宅用の支持脚の場合には、支持脚が配置される予定箇所を避けるようにして吸音材を敷設しなければならないが、本発明においては、既に配置された二重床用支持脚を避けるようにしながら、上方から吸音材を容易に敷設することができる。
【００２８】
また、パネル材に先付けする必要がない場合であっても、集合住宅用の支持脚は、そのほとんどが縦長のため、自立させた状態が不安定であり、設置精度が厳しいこととも併せて、支持脚が倒れたりずれたりしないよう、吸音材の敷設に十分気を遣う必要があるが、本発明においては、扁平でかつ設置精度が緩和されているため、支持脚の配置状況にそれほど気を遣うことなく、吸音材の配置作業を進めることができる。
【００２９】
次に、二重床用支持脚の上面に矩形木質パネルを架け渡す。矩形木質パネルは例えば構造用合板を用いることができる。
【００３０】
次に、矩形木質パネルを二重床用支持脚に釘留め又はビス留めする。
【００３１】
ここで、矩形木質パネルは、隣り合う矩形木質パネル同士に隙間が生じないよう、床施工範囲全体にわたって架け渡すが、床施工範囲の縁部領域及び隅部領域においては、上階床躯体との間に拡がる空気層によって音響的な結合が生じないよう、壁材との間に隙間を設け、空気の抜け道を作っておく。
【００３２】
次に、矩形木質パネルの上に床下地材及び床仕上げ材を順次敷設する。
【００３３】
このように敷設された床下地材及び床仕上げ材は、二重床用支持脚の配置ピッチが支持間隔となるのではなく、二重床用支持脚の配置ピッチから支持ブロックの水平幅又はその二倍の寸法を差し引いた長さが支持間隔となる。
【００３４】
そのため、集合住宅用の支持脚に比べ、同じ配置ピッチでの矩形木質パネル、床下地材及び床仕上げ材の支持間隔が短くなり、かくして床の撓みを小さくし歩行感を改善することができる。
【００３５】
ちなみに、集合住宅用の支持脚は、防振ゴムからなる台座と該台座に立設されたボルトやプラスチック束からなる支持脚本体と該支持脚本体の頂部に取り付けられたパネル受けとから構成される場合が一般的であるところ、パネル受けは、その中心近傍でのみ、ボルト等の支持脚本体に支持されているため、本願と同様の作用効果を得るためには、パネル受けの面外曲げ剛性を十分に高める必要があり、コスト高は避けられない。
【図面の簡単な説明】
【００３６】
【図１】本実施形態に係る二重床構造の全体斜視図。
【図２】図１のＡ−Ａ線方向に沿う鉛直詳細断面図。
【図３】本実施形態に係る二重床用支持脚の図であり、(a)は側面図、(b)はＢ−Ｂ線方向から見た矢視図。
【図４】二重床用支持脚３の配置状況を示した平面図。
【図５】二重床用支持脚３の間に吸音材５１を敷き詰めた様子を示した平面図。
【図６】二重床構造の実証試験の結果を示したグラフ（比較試験体Ａ−１）。
【図７】二重床構造の実証試験の結果を示したグラフ（試験体Ａ）。
【図８】衝撃吸収材の配置形態の違いを調べる試験体を示した図であり、(a)及び(b)は、本試験体Ｂの平面図と側面図、(c)は比較試験体Ｂ−１の側面図、(d)は比較試験体Ｂ−２の側面図。
【図９】衝撃吸収材の配置形態に関する実証試験の結果であり、軽量床衝撃音レベルを示したグラフ。
【図１０】衝撃吸収材の配置形態に関する実証試験の結果であり、加速度を示したグラフ。
【発明を実施するための形態】
【００３７】
以下、本発明に係る二重床用支持脚及びそれを用いた二重床構造並びにその構築方法の実施の形態について、添付図面を参照して説明する。
【００３８】
図１は、本実施形態に係る二重床構造を示した全体斜視図、図２は図１のＡ−Ａ線方向に沿う鉛直詳細断面図である。これらの図でわかるように、本実施形態に係る二重床構造１は、上階床躯体２に配置された二重床用支持脚３と、該二重床用支持脚の上面に架け渡された矩形木質パネル４と、該矩形木質パネルの上に敷設された床下地材５及び床仕上げ材６とから構成してある。
【００３９】
上階床躯体２は、梁７の上に架け渡された剛床パネル８と、その上に敷設された硬質石膏ボード９とで構成してある。
【００４０】
剛床パネル８は、カラマツを用いた厚さ２４ｍｍの構造用合板で構成してあり、図１でよくわかるように長手方向が梁７に直交するように、かつ千鳥配置されるように該梁に架け渡してある。また、剛床パネル８の長手側縁部が隣り合う箇所には、図２でよくわかるようにパネル受け材１０を梁７の直交方向に架け渡してあり、その上面に剛床パネル８の長手側縁部を載せてビス留めしてある。
【００４１】
硬質石膏ボード９は、厚さ１２．５ｍｍのものを２枚重ねにして構成してある。
【００４２】
ここで、梁７の下方には図２に示すように天井が張られておらず、下階１１から見れば、あらわし梁となっている。
【００４３】
二重床用支持脚３は図３に示すように、木質系材料からなる正方形の板片３１を３枚積層して直方体の支持ブロック３３とし、該支持ブロックの最下層を構成する矩形板片３１の露出面隅部４箇所に衝撃吸収材３２をそれぞれ突設して構成してあり、該衝撃吸収材が上階床躯体２を構成する硬質石膏ボード９の上面に当接するように該上階床躯体２に配置してある。
【００４４】
支持ブロック３３は、剛床パネル８と同じ構造用合板を３００ｍｍ角に加工した上、接着剤を用いて積層してあり、幅及び奥行きが３００ｍｍ、全高が７２ｍｍの扁平な形状をなし、板片３１の面内方向に沿った幅に対する積層方向高さの比率（縦横比）は、７２／３００＝０．２４となっている。
【００４５】
衝撃吸収材３２は、硬度が６０゜の天然ゴムを厚さ５ｍｍに成形してある。
【００４６】
矩形木質パネル４は、杉を用いた厚さ２４ｍｍの構造用合板で構成してあり、二重床用支持脚３に架け渡された上、該二重床用支持脚にビス留めしてある。
【００４７】
床下地材５は、厚さ１２．５ｍｍの硬質石膏ボードを２枚重ねにし、その上に厚さ１２ｍｍの合板を重ねて構成してある。
【００４８】
床仕上げ材６は、施主の好みに応じて適宜選定すればよいが、例えば厚さ１２ｍｍのフローリング材を用いることができる。
【００４９】
なお、上階床躯体２と矩形木質パネル４に挟まれた中空空間には、必要に応じて、電気通信ケーブル、ユニットケーブルモールド、設備用配管などを配置することができる。
【００５０】
本実施形態に係る二重床用支持脚３を用いて二重床構造１を構築するには、まず、厚さ２４ｍｍの構造用合板で構成された剛床パネル８を、長手方向が梁７に直交するように、かつ千鳥配置されるように該梁に架け渡してビス留めする。
【００５１】
次に、図２に示すように床施工範囲の周囲に壁ボード受け材１２を取り付け、次いで、壁ボード１３の下縁を壁ボード受け材１２に固定する。
【００５２】
次に、剛床パネル８の上に１枚目の硬質石膏ボード９を敷設し、ステープルで留め付けた後、２枚目の硬質石膏ボード９をその上に敷設し、同様にステープルで留め付ける。
【００５３】
このようにして、剛床パネル８及び２枚重ねの硬質石膏ボード９からなる上階床躯体２を構築したならば、次に、上階床躯体２に二重床用支持脚３を水平２方向に沿って複数配置する。
【００５４】
図４は、二重床用支持脚３の配置状況を示した平面図である。同図に示すように、壁ボード１３で囲まれ４本の柱４１を頂点とした正方形領域を床施工範囲とし、該床施工範囲に計２５個の二重床用支持脚３を配置する。
【００５５】
これらのうち、床施工範囲の中央領域に配置された９個の二重床用支持脚３については、互いに直交する水平２方向に沿って９１０ｍｍピッチで配置し、縁部領域と隅部領域に位置する１６個の二重床用支持脚３については、中央領域の二重床用支持脚３から３７７．５ｍｍだけ外周側に離間させた位置（芯々距離で６７７．５ｍｍ）に配置してある。
【００５６】
なお、二重床用支持脚３は、下階への音の伝達ができるだけ遮断されるよう、釘やビスによる留め付けは行わず、上階床躯体２の上に置くだけとする。
【００５７】
次に、図４に示すように二重床用支持脚３の上面に矩形木質パネル４を千鳥状に架け渡すが、上階床躯体２との間に拡がる空気層によって音響的な結合が生じないよう、壁ボード１３との間に隙間を設けて空気の抜け道ができるよう、位置調整を行う。
【００５８】
次に、矩形木質パネル４を隅部４ヶ所で、長手側縁部に二重床用支持脚３がくる場合にはさらに２ヶ所で二重床用支持脚３にビス留めする。
【００５９】
次に、矩形木質パネル４の上に床下地材５及び床仕上げ材６を順次敷設する。なお、床下地材５及び床仕上げ材６を敷設するにあたっては、壁ボード１３との間に隙間が形成されるよう、矩形木質パネル４と同様に位置調整を行う。
【００６０】
以上説明したように、本実施形態に係る二重床用支持脚３及びそれを用いた二重床構造１並びにその構築方法によれば、二重床用支持脚３の支持ブロック３３を矩形板片３１の面内方向に沿った幅に対する積層方向高さの比率（縦横比）が１を下回るように、換言すれば、設置状態において扁平になるように支持ブロック３３を形成したので、上階床躯体２に対する水平方向の設置許容誤差を大きくすることができる。
【００６１】
すなわち、支持ブロック３３を扁平に構成したことにより、矩形木質パネル４を受ける面積が大きくなり、それによって二重床用支持脚３の設置位置が設計値から例えば１０ｍｍ程度ずれても、荷重支持の点では何ら問題が生じない。
【００６２】
したがって、集合住宅用の支持脚に比べ、設置精度が大幅に緩和されることとなり、上階床躯体２への設置作業効率が格段に向上する。加えて、二重床用支持脚３の支持ブロック３３が扁平であることにより、設置状態の安定性が高く、かかる設置安定性についても、設置作業効率の向上に寄与する。
【００６３】
また、本実施形態に係る二重床用支持脚３及びそれを用いた二重床構造１並びにその構築方法によれば、二重床用支持脚３の支持ブロック３３を木質系材料で構成したので、矩形木質パネル４をビス留めすることが可能となり、集合住宅用の支持脚のように専用の工具を用いる必要がなくなる。また、二重床用支持脚３へのビス留めが可能になることにより、矩形木質パネル４は、さまざまな合板類から任意に選択することができるし、そもそも木質系材料で矩形状に製作されたパネル状のものであれば、どんなものでも採用することが可能になる。
【００６４】
また、本実施形態に係る二重床用支持脚３及びそれを用いた二重床構造１並びにその構築方法によれば、二重床用支持脚３の支持ブロック３３を設置状態において扁平になるように形成したので、該二重床用支持脚による矩形木質パネル４あるいは床下地材５及び床仕上げ材６の支持間隔は、二重床用支持脚３の配置ピッチ、例えば９１０ｍｍではなく、９１０ｍｍから３００ｍｍを差し引いた６１０ｍｍとなる。
【００６５】
したがって、支持脚の配置ピッチに対する上部パネルの支持間隔は、集合住宅用の支持脚に比べて大幅に小さくなり、かくして床の撓みが抑制され、歩行感が格段に改善される。
【００６６】
なお、柱、梁といった軸組部材を工場でプレカットし現地で組み上げる関係上、上階床躯体２の水平精度は１〜３ｍｍ程度に収まるので、基本的には上階床躯体２への設置作業時に二重床用支持脚３の高さ調整を行う必要がない。
【００６７】
そのため、集合住宅用の支持脚のように高さ調整機能を持たせる必要がなくなり、二重床用支持脚３を低コストで製作することが可能になる。
【００６８】
また、本実施形態に係る二重床用支持脚３及びそれを用いた二重床構造１並びにその構築方法によれば、二重床用支持脚３を格子点のみならず任意の場所に配置することができるとともに、矩形木質パネル４との関係においても、設置位置の制限が大幅に緩和されるため、注文住宅においても、さまざまな間取りに対応することが可能となり、施主の要望にも適切に応じることができる。
【００６９】
また、本実施形態に係る二重床用支持脚３によれば、衝撃吸収材３２を支持ブロック３３の下面隅部の４ヶ所に突設するようにしたので、後述するように軽量床衝撃音を大幅に低減することが可能になる。
【００７０】
本実施形態では、特に言及しなかったが、二重床用支持脚３を配置した後、該二重床用支持脚に矩形木質パネル４を架け渡す前に、互いに離間する２つの二重床用支持脚３，３の間に吸音材を敷設するのが、二重床構造の遮音特性を向上させる上で望ましい。
【００７１】
図５は、二重床用支持脚３の間に吸音材としてのグラスウール５１を配置した様子を示した平面図である。
【００７２】
このようなグラスウール５１を配置するにあたり、パネル材に先付けされる必要がある集合住宅用の支持脚であれば、パネル材が邪魔になって作業性が悪かったが、本変形例によれば、既に配置された二重床用支持脚３を避けるようにしながら、上方から容易にグラスウール５１を敷設することができる。
【００７３】
一方、パネル材に先付けする必要がない集合住宅用の支持脚と比べても、集合住宅用の支持脚は、そのほとんどが縦長のため、自立させた状態が不安定であり、設置精度が厳しいこととも併せて、支持脚が倒れたりずれたりしないよう、吸音材の敷設に十分気を遣う必要があるが、本変形例においては、扁平でかつ設置精度が緩和されているため、二重床用支持脚３の配置状況にそれほど気を遣うことなく、吸音材等の配置作業を進めることができる。
【００７４】
また、本実施形態では、梁７があらわし仕様である場合についての適用例を説明したが、天井を設けた通常の梁７の上に本発明に係る二重床構造を構築することはもちろん可能である。
【００７５】
また、本実施形態では、板片３１を３層重ねて支持ブロック３３を構成したが、積層数については任意であり、場合によっては２層でもかまわないし、逆に４層、５層と重ねてもかまわない。
【００７６】
また、本実施形態では、二重床用支持脚３の平面形状を正方形としたが、これに代えて長方形に構成してもかまわない。
【００７７】
また、本実施形態では、上階床躯体２や床下地材５の構成要素として、厚さ１２．５ｍｍの硬質石膏ボードを２枚重ねしたものを含めたが、これらの枚数は任意であるし、そもそも硬質石膏ボードを上階床躯体や床下地材の構成要素とするかどうかも任意である。
【００７８】
また、本実施形態では、支持ブロックの縦横比を０．２４としたが、本発明に係る二重床用支持脚の支持ブロックはもちろんこのような形態に限定されるものではなく、縦横比が１を越えない範囲、すなわち縦長ではなく扁平な形状にすることにより、設置安定性の向上や、矩形木質パネルの支持間隔の短縮といった本実施形態の作用効果を同様に享受することができる。
【００７９】
（実証試験その１）
図１乃至図３を用いて説明した実施形態に係る二重床構造１において、二重床用支持脚３，３の間に吸音材としてのグラスウール５１を敷設したものを試験体Ａとして床衝撃音の性能試験を行った。また、梁７の上に厚さ２４ｍｍの剛床パネル８を架け渡し、その上に厚さ１２．５ｍｍの硬質石膏ボードを敷設した後、厚さ１２ｍｍのフローリング材を敷き込んだものを比較試験体Ａ−１とした。
【００８０】
図６は比較試験体Ａ−１の結果を示したグラフであり、同図でわかるように、重量衝撃音については、床衝撃音がＬ−８０となり、軽量衝撃音についてはＬ−９０であった。
【００８１】
これに対し、試験体Ａでは図７に示すように、重量衝撃音についてはＬ−７０、軽量衝撃音についてもＬ−７０となり、重量床衝撃音性能で１０ｄＢ、軽量床衝撃音性能で２０ｄＢ、それぞれ改善できることがわかった。
【００８２】
（実証試験その２）
衝撃吸収材３２の効果を確認すべく、図８(a)，(b)に示すように、４つの二重床用支持脚３をそれぞれの中心が９１０ｍｍ角の正方形の隅部に一致するように平面配置するとともに、本実施形態と同様、矩形木質パネル４、床下地材５及び床仕上げ材６の順に積層してなる９１０ｍｍ角の模擬床材８１をそれらの隅部が４つの二重床用支持脚３の各中心に一致するように該二重床用支持脚の上に載せて試験体Ｂを製作した。
【００８３】
一方、比較試験体として、衝撃吸収材３２を突設しない比較試験体Ｂ−１と（同図(c)）、衝撃吸収材８２と同じゴムで形成されたシート材を支持ブロック３３の下面全体に設けた比較試験体Ｂ−２（同図(d)）とをそれぞれ製作した。
【００８４】
試験は、模擬床材８１の中央にタッピングマシンを設置することで、下階を受音室として音圧レベルを計測し、軽量床衝撃音データを取得するとともに、模擬床材８１の下方に加速度計を設置し、加速度の比較を行った。
【００８５】
軽量床衝撃音データを図９に、加速度試験の結果を図１０に示す。
【００８６】
これらの結果のうち、図９からは、衝撃吸収材３２を突設しない比較試験体Ｂ−１と全面にゴム材を設けた比較試験体Ｂ−２との間で大差が見られないものの、試験体Ｂは、比較試験体Ｂ−１や比較試験体Ｂ−２よりも軽量床衝撃音レベルが下がっていることがわかる。
【００８７】
また、図１０からは、試験体を設置したフロアでの加速度が、比較試験体Ｂ−１、比較試験体Ｂ−２、試験体Ｂの順に下がっていることがわかる。
【００８８】
これらの結果、試験を行ったフロアが既に遮音対策が施されたものであるがゆえに大差が出なかったものの、衝撃吸収材３２を四隅に突設する本実施形態の作用効果は実証できた。
【符号の説明】
【００８９】
１                    二重床構造
２                    上階床躯体
３                    二重床用支持脚
４                    矩形木質パネル
５                    床下地材
６                    床仕上げ材
７                    梁
８                    剛床パネル（上階床躯体）
９                    ２枚重ねの硬質石膏ボード（上階床躯体）
３１                    板片（矩形板片）
３２                    衝撃吸収材
３３                    支持ブロック
５１                    グラスウール（吸音材）
【図１】
0005554633.tif 000002
【図２】
0005554633.tif 000003
【図３】
0005554633.tif 000004
【図４】
0005554633.tif 000005
【図５】
0005554633.tif 000006
【図８】
0005554633.tif 000007
【図６】
0005554633.tif 000008
【図７】
0005554633.tif 000009
【図９】
0005554633.tif 000010
【図１０】
0005554633.tif 000011